(57)【要約】【課題】  室内で被収納物が乱雑にならずにこれを収納かごに容易に収納して室内の床面積を広く確保することができ、また、収納かごをかご収納部から取外してそのまま持ち運ぶことができる収納かご付き収納家具を提供する。【解決手段】  収納かご付き収納家具１は、洗面脱衣室Ｓの壁面２に取付けられる本体部３と、本体部に二つ形成され、窪んだ所定形状を有して前方に開口するかご収納部４と、かご収納部に設けられて収納かご５を支持する支持部６と、支持部に係合離脱可能に係合する被支持部７を有し、かご収納部に収納，取外し可能で且つ被収納物８を収納可能な二つの収納かご５とを備えている。【選択図】    図１
2005144017.tif 000002
【特許請求の範囲】
【請求項１】
室の壁面に取付けられる本体部と、
この本体部に少なくとも一つ形成され、窪んだ所定形状を有して前方に開口するかご収納部と、
このかご収納部に設けられて収納かごを支持する支持部と、
この支持部に係合離脱可能に係合する被支持部を有し、前記かご収納部に収納，取外し可能で且つ被収納物を収納可能な少なくとも一つの前記収納かごとを備えたことを特徴とする収納かご付き収納家具。
【請求項２】
請求項１に記載の収納かご付き収納家具であって、
前記本体部は前記室の前記壁面に埋込まれ、前記かご収納部は前記本体部に複数並んで形成され、前記収納かごは前記かご収納部に収納された状態で上方が開口して前記被収納物を出し入れ可能であることを特徴とする収納かご付き収納家具。
【請求項３】
請求項１または２に記載の収納かご付き収納家具であって、
前記かご収納部の前記支持部は、このかご収納部の底部に取付けられた突起部材と、前記かご収納部の背面部の上部に取付けられ把手受け部を有する受け部材とにより構成され、
前記収納かごの前記被支持部は、この収納かごの下部の底板に形成された貫通孔と、前記収納かごの背板の上端部に形成された把手部とにより構成され、
前記収納かごが前記かご収納部に収納された状態で、前記貫通孔が前記突起部材に着脱可能に係合し、前記把手部が前記把手受け部に着脱可能に係合することにより、前記突起部材と前記把手受け部で前記収納かごの下部と上部をそれぞれ支持することを特徴とする収納かご付き収納家具。
【請求項４】
室の壁面に取付けられる収納かご付き収納家具の少なくとも二つのかご収納部に収納，取外し可能で且つ被収納物を収納可能な二つの収納かごであって、
この各収納かごの上部に把手部を形成し、背面部に係合部と被係合部を形成し、
前記収納かごを持ち運ぶときは、この二つの収納かごを背中合せにするとともに、一方の前記収納かごの前記係合部を他方の前記収納かごの前記被係合部に係合させ、前記二つの収納かごの前記把手部をユーザーが手で一緒に持つようにしたことを特徴とする収納かご。
【発明の詳細な説明】
【技術分野】
【０００１】
本発明は、洗面脱衣室などに設置されて洗濯物などを収納可能な収納かご付き収納家具および収納かごに関する。
【背景技術】
【０００２】
一般的に洗面脱衣室では、脱衣した洗濯物は、床に直接置かれている洗濯かご（ランドリーバスケット）などに投入される場合が多い。このようにすると、家族数によっては洗濯かごの数が増えて床面積を占領してしまい、もともと狭い洗面脱衣室がさらに狭くなって使い難くなる。
洗濯かごを使わずに洗濯物を直接洗濯機に投入する場合もあるが、これでは、洗濯前に再度取り出して色柄物の仕分けの作業が必要になる。
収納可能な量を確保する手段として、簡易なキャビネットに洗濯かごを二段，三段と積層するものも存在するが、結局は床面積を多く占拠してしまい、洗面脱衣室の空間の広さという点では解決にならない。
また、洗面室の壁面に埋込んで洗面用小物やタオルを収納する収納庫は知られているが、あくまで壁厚に収まる程度の小さな被収納物の収納庫であり、洗面脱衣室を狭くしている根本的な要因は排除できていない。
【０００３】
特許文献１（実開昭６０−１２２４５３号公報）には、脱衣かご付き壁厚収納家具が記載されている。この壁厚収納家具は、壁面に箱体が埋込まれこの箱体に脱衣かごが回動自在に軸支され、箱体には開閉自在な前板が取付けられている。
【特許文献１】実開昭６０−１２２４５３号公報
【発明の開示】
【発明が解決しようとする課題】
【０００４】
特許文献１に記載された脱衣かご付き壁厚収納家具は、使用時には前板を開けて洗濯物を出し入れしなければならず面倒であった。また、脱衣かごは壁厚収納家具から取外しできないので、脱衣かごに洗濯物を入れたまま持ち運ぶことはできなかった。
【０００５】
本発明は、このような課題を解決するためになされたもので、室内で被収納物が乱雑にならずにこれを収納かごに容易に収納して室内の床面積を広く確保することができ、また、収納かごをかご収納部から取外してそのまま持ち運ぶことができる収納かご付き収納家具を提供することを目的とする。
また、本発明の他の目的は、被収納物を収納可能な収納かごを収納かご付き収納家具のかご収納部から取外した状態で、二つの収納かごを安定した状態で一緒に持ち運ぶことができる収納かごを提供しようとするものである。
【課題を解決するための手段】
【０００６】
上述の目的を達成するため、本発明にかかる収納かご付き収納家具は、室の壁面に取付けられる本体部と、この本体部に少なくとも一つ形成され、窪んだ所定形状を有して前方に開口するかご収納部と、このかご収納部に設けられて収納かごを支持する支持部と、この支持部に係合離脱可能に係合する被支持部を有し、前記かご収納部に収納，取外し可能で且つ被収納物を収納可能な少なくとも一つの前記収納かごとを備えている。
前記本体部は前記室の前記壁面に埋込まれ、前記かご収納部は前記本体部に複数並んで形成され、前記収納かごは前記かご収納部に収納された状態で上方が開口して前記被収納物を出し入れ可能であるのが好ましい。
好ましい実施形態として、前記かご収納部の前記支持部は、このかご収納部の底部に取付けられた突起部材と、前記かご収納部の背面部の上部に取付けられ把手受け部を有する受け部材とにより構成され、前記収納かごの前記被支持部は、この収納かごの下部の底板に形成された貫通孔と、前記収納かごの背板の上端部に形成された把手部とにより構成され、前記収納かごが前記かご収納部に収納された状態で、前記貫通孔が前記突起部材に着脱可能に係合し、前記把手部が前記把手受け部に着脱可能に係合することにより、前記突起部材と前記把手受け部で前記収納かごの下部と上部をそれぞれ支持している。
本発明にかかる収納かごは、室の壁面に取付けられる収納かご付き収納家具の少なくとも二つのかご収納部に収納，取外し可能で且つ被収納物を収納可能な二つの収納かごであって、この各収納かごの上部に把手部を形成し、背面部に係合部と被係合部を形成し、前記収納かごを持ち運ぶときは、この二つの収納かごを背中合せにするとともに、一方の前記収納かごの前記係合部を他方の前記収納かごの前記被係合部に係合させ、前記二つの収納かごの前記把手部をユーザーが手で一緒に持つようにしている。
【発明の効果】
【０００７】
本発明の収納かご付き収納家具は、上述のように構成したので、室内で被収納物が乱雑にならずにこれを収納かごに収納して室内の床面積を広く確保することができ、また、収納かごをかご収納部から取外してそのまま持ち運ぶことができる。
また、本発明の収納かごは、上述のように構成したので、被収納物を収納した収納かごをかご収納部から取外した状態で、二つの収納かごを安定した状態で一緒に持ち運ぶことができる。
【発明を実施するための最良の形態】
【０００８】
下記の実施例にかかる収納かご付き収納家具では、支持部を有するかご収納部を形成し、収納かごに設けられた被支持部を前記支持部に係合離脱可能に係止して、収納かごをかご収納部に収納，取外し可能にすることにより、収納かごをかご収納部から取外してそのまま持ち運ぶという目的を実現している。
また、下記の実施例では、収納かごの上部に把手部を形成し、背面部に係合部と被係合部を形成して、収納かごを持ち運ぶときは二つの収納かごを背中合せにして、係合部と被係合部を係合させ、二つの収納かごの把手部をユーザーが手で一緒に持つことにより、二つの収納かごを安定した状態で一緒に持ち運ぶという目的を実現している。
【実施例】
【０００９】
以下、本発明にかかる一実施例を、図１ないし図９を参照して説明する。
図１ないし図９は本発明の一実施例を示す図で、図１（Ａ），（Ｂ）は、それぞれ収納かご付き収納家具の正面図，側面断面図、図２は、収納かごを取外した状態の収納かご付き収納家具の側面断面図である。
図３（Ａ），（Ｂ）は、それぞれ図２のＡ部，Ｂ部拡大断面図、図３（Ｃ）は図３（Ｂ）の平面図である。図４，図５，図６，図７は、それぞれ収納かごの正面図，側面図，平面図，背面図である。
図８（Ａ）は図７のVIII−VIII線拡大断面図、図８（Ｂ），（Ｃ）はそれぞれ図７のＢ部，Ｃ部拡大図である。図９（Ａ）は二つの収納かごを背中合せにした状態の説明図、図９（Ｂ）はこれを持ち運ぶ状態を示す断面図である。
【００１０】
図１ないし図３に示すように、本実施例にかかる収納かご付き収納家具（以下、収納家具と記載）１は、室たとえば洗面脱衣室Ｓ，洗面室，脱衣スペース（たとえば、洗面脱衣室や浴室に入るための脱衣スペース）の壁面２に設けられる。
収納家具１は、主として脱衣した洗濯物を洗面脱衣室Ｓで収納するのに使用される。なお、収納家具１を、家族の形態や暮らし方に合わせて、洗濯機のそばや子供部屋（室）の壁面２に設置してもよい。
【００１１】
収納家具１は、洗面脱衣室Ｓの壁面２に取付けられる本体部３と、本体部３に少なくとも一つ（ここでは、二つ）形成され、窪んだ所定形状を有して前方に開口するかご収納部４とを備えている。さらに、収納家具１は、かご収納部４に設けられて収納かご５を支持する支持部６と、少なくとも一つ（ここでは、二つ）の収納かご５とを備えている。
収納かご５は、支持部６と係合離脱可能に係合する被支持部７を有している。収納かご５は、かご収納部４に収納，取外し可能で且つ被収納物（ここでは、脱衣した洗濯物）８を収納可能であり、洗濯かごの機能を有している。二つの収納かご５の構成は全く同じである。
したがって、洗面脱衣室Ｓ内で被収納物８が乱雑にならずに、被収納物８を収納かご５に容易に収納して、洗面脱衣室Ｓ内の床面積を広く確保することできる。また、収納かご５を、かご収納部４から取外してそのまま持ち運ぶことができる。
【００１２】
収納家具１の本体部３は、洗面脱衣室Ｓの壁面２に埋込まれており、壁面２における壁厚を使って埋設されている。かご収納部４は、本体部３に複数（ここでは、二つ）並んで形成されている。収納かご５は、かご収納部４に収納された状態で上方が開口して、被収納物８を出し入れ可能になっている。
これにより、収納家具１が洗面脱衣室Ｓのスペースをほとんど使うことがないので、室内の床面積をさらに広く確保することができる。すなわち、収納かご５を壁面２に埋込んでいるので、従来の洗濯かごが占拠していた部分の床面積を確保でき、洗面脱衣室Ｓを広く使うことができる。
収納かご５は、かご収納部４に収納された状態で上方が開口しているので、蓋や前板などの開閉操作を行わないでも、被収納物８を収納かご５に容易に出し入れすることができる。
【００１３】
本体部３は、正面から見て縦長の矩形状をなしており、その上半分には収納スペース部２０が設けられている。収納スペース部２０には開閉扉２１が取付けられており、収納スペース部２０の内部にはタオルや小物などを収納できる。
本体部３の下半分には、専用の収納かご５を二つ収納するかご収納部４が設けられている。二つのかご収納部４は上下に配置されているので、収納家具１を幅の狭い縦長の構成にすることができ、壁面２への設置が容易である。また、複数の収納かご５を設置できるので、全体的に多くの被収納物８を収納可能である。
本体部３は、たとえば全高が約１,８５０mm，幅が約４５０mmで、家族人数に合わせて間口９００mmの壁面には２本配置できることになり、こうすれば量的にもスペース的にもより効果的に使用することができる。
【００１４】
かご収納部４は、正面から見てほぼ矩形状をなして前方が開口している。かご収納部４の底部２２には、その左右方向中央部に少なくとも一つ（ここでは、一つ）の突起部材２３が取付けられている。
突起部材２３は、底部２２にねじ３０で固定された円形の取付け座２４と、取付け座２４の凹部２５を塞いで取付けられるキャップ２６とにより構成されている。ねじ３０は、突起部材２３を底部２２に固定する機能のほかに、本体部３を壁面２に固定する機能も有している。
かご収納部４の背面部２７の上部には、部分筒状（ここでは、部分円筒状）の把手受け部２８を有する受け部材２９が取付けられている。受け部材２９は、背面部２７の上部で且つ左右方向中央部に配置され、ねじ３１で本体部３に固定されている。
かご収納部４の下部と上部にそれぞれ設けられた突起部材２３と受け部材２９により、かご収納部４の支持部６が構成されている。
【００１５】
図１ないし図９に示すように、二つの収納かご５は、収納家具１の少なくとも二つ（ここでは、二つ）のかご収納部４に収納，取外し可能で、且つ被収納物８を収納可能である。収納かご５は、平面視でほぼ矩形状をなす有底中空筒状に一体形成されており、上方が開口している。収納かご５の上部には把手部４０が形成されている。
収納かご５は、底板５０，前板５１，背板５２および両方の側板５３により構成されており、上方の開口部Ｂを形成する縁部は水平部５４と傾斜部５５とを有している。傾斜部５５を設けたので、収納かご５をかご収納部４に収納したとき、開口部Ｂが上方のほか前方にも広く開口することになる。したがって、収納かご５に被収納物８を容易に出し入れすることができ、また、被収納物８が比較的大きくても出し入れ可能である。
【００１６】
背板５２の外面である背面部４１には、係合部と被係合部が形成されている。すなわち、背面部４１の所定位置に形成された第１の係合部４２と第２の係合部４３により、背面部４１の係合部が構成され、背面部４１の所定位置に形成された第１の被係合部４４と第２の被係合部４５により、背面部４１の被係合部が構成されている。
収納かご５を持ち運ぶときは、二つの収納かご５を背中合せにするとともに、一方の収納かご５の係合部（第１の係合部４２と第２の係合部４３）を他方の収納かご５の被係合部（第１の被係合部４４と第２の被係合部４５）に係合させ、二つの収納かご５の把手部４０をユーザーが手Ｈで一緒に持つことになる。
このようにすれば、収納かご５を収納家具１のかご収納部４から取外した状態で、二つの収納かご５を安定した状態で一緒に持ち運ぶことができる。
【００１７】
収納かご５の下部に位置する底板５０には、その左右方向中心の所定位置に貫通孔５７が形成されている。把手部４０は、背板５２の上端部で且つ左右方向中央部に形成されている。
把手部４０は、外周面が部分円筒形で、側面視で９０度開いた扇形のような形状を有している。把手部４０のすぐ下部には開口部５８が形成されており、開口部５８に手を入れて把手部４０を握ることができるようになっている。
収納かご５の下部と上部にそれぞれ設けられた貫通孔５７と把手部４０により、かご収納部４の支持部６に係合離脱可能に係合する被支持部７を構成している。なお、突起部材２３に係合離脱可能であれば、貫通孔５７の代わりに凹部を形成してもよい。
収納かご５がかご収納部４に収納された状態で、貫通孔５７が突起部材２３に着脱可能に係合し、把手部４０が受け部材２９の把手受け部２８に着脱可能に係合する。こうして、突起部材２３と把手受け部２８により、収納かご５の下部と上部をそれぞれ支持するので、収納かご５は、かご収納部４に安定した状態で収納される。
【００１８】
背面部４１には矩形状のリブ５６が、背板５２と一体的に形成されている。リブ５６の四箇所の角に、上述の係合部と被係合部が形成されている。収納かご５を背面から見たとき（図７）、リブ５６の左上の角には第１の係合部４２が一体形成され、左下の角には第２の係合部４３が一体形成され、リブ５６の右上の角は第１の被係合部４４であり、右下の角は第２の被係合部４５である。
第１の係合部４２は、所定形状（ここでは、Ｌ字状）に形成されるとともに、背面部４１に直交する外方向に若干突出している。第２の係合部４３も、所定形状（ここでは、湾曲状）に形成されるとともに、背面部４１に直交する外方向に若干突出している。係合部４２，４３は、被係合部４４，４５にそれぞれ対応する所定形状になっている。
【００１９】
ユーザーが収納かご５を持ち運ぶときは、収納かご５を一つずつ運んでもよいが、二つ一緒に運ぶと能率がよい。たとえば、二つの収納かご５を背中合せにして、二つの把手部４０も背中合わせに並べる。そして、二つの収納かご５の各開口部５８に手Ｈを通して、二つの把手部４０からなる把手を握る（図９）。
すると、一方の収納かご５の第１の係合部４２が、他方の収納かご５の第１の被係合部４４と係合し、また、一方の収納かご５の第２の係合部４３が、他方の収納かご５の第２の被係合部４５と係合する。これにより、二つの収納かご５が互いに結合して一体化するので、ユーザーは、二つの収納かご５を一緒に持って安定した状態で持ち運ぶことができる。
各把手部４０の外周面は部分円筒状をなし、把手部４０は側面視で９０度開いた扇形のような形状を有しているので、二つの把手部４０を並べれば、下半分が半円筒状の一つの把手になって手Ｈで握りやすくなる。
したがって、ユーザーは、二つの収納かご５を背中合せにし、二つの収納かご５の各開口部５８に手Ｈを通し、二つの把手部４０からなる半円筒状の把手を握って快適に持ち運ぶことができる。
【００２０】
前記構成の収納家具１において、洗濯を行わないときは、収納かご５をかご収納部４に収納しておく。この状態で、収納かご５の貫通孔５７と把手部４０が、かご収納部４の突起部材２３と把手受け部２８にそれぞれ係合するので、収納かご５は、かご収納部４に上下位置を支持されている。そして、入浴時に脱衣した洗濯物を、開口部Ｂから収納かご５に容易に投入することができる。
洗濯作業時や洗濯物を干しに行くときは、被収納物８が収納された収納かご５をかご収納部４から取外してそのまま持ち運ぶ。そのために、収納かご５をかご収納部４内で若干上方に持ち上げれば、収納かご５の貫通孔５７と把手部４０が、かご収納部４の突起部材２３と把手受け部２８からそれぞれ離脱するので、収納かご５をかご収納部４から取外すことができる。こうして取外した二つの収納かご５を、背中合せにして一緒に持ち運ぶことになる。
【００２１】
以上、本発明の実施例を説明したが、本発明は、上述の実施例に限定されるものではなく、本発明の要旨の範囲で種々の変形，付加などが可能である。
なお、各図中同一符号は同一または相当部分を示す。
【産業上の利用可能性】
【００２２】
本発明は、洗面脱衣室などの壁面に設置される収納かご付き収納家具に適用可能である。
【図面の簡単な説明】
【００２３】
【図１】図１ないし図９は本発明の一実施例を示す図で、図１（Ａ），（Ｂ）は、それぞれ収納かご付き収納家具の正面図，側面断面図である。
【図２】収納かごを取外した状態の収納かご付き収納家具の側面断面図である。
【図３】図３（Ａ），（Ｂ）は、それぞれ図２のＡ部，Ｂ部拡大断面図、図３（Ｃ）は図３（Ｂ）の平面図である。
【図４】収納かごの正面図である。
【図５】収納かごの側面図である。
【図６】収納かごの平面図である。
【図７】収納かごの背面図である。
【図８】図８（Ａ）は図７のVIII−VIII線拡大断面図、図８（Ｂ），（Ｃ）はそれぞれ図７のＢ部，Ｃ部拡大図である。
【図９】図９（Ａ）は二つの収納かごを背中合せにした状態の説明図、図９（Ｂ）はこれを持ち運ぶ状態を示す断面図である。
【符号の説明】
【００２４】
１    収納かご付き収納家具
２    壁面
３    本体部
４    かご収納部
５    収納かご
６    支持部
７    被支持部
８    被収納物
２２  底部
２３  突起部材
２７  背面部
２８  把手受け部
２９  受け部材
４０  把手部
４１  背面部
４２  第１の係合部（係合部）
４３  第２の係合部（係合部）
４４  第１の被係合部（被係合部）
４５  第２の被係合部（被係合部）
５０  底板
５２  背板
５７  貫通孔
Ｈ    手
Ｓ    洗面脱衣室（室）
【図１】
2005144017.tif 000003
【図２】
2005144017.tif 000004
【図３】
2005144017.tif 000005
【図４】
2005144017.tif 000006
【図５】
2005144017.tif 000007
【図６】
2005144017.tif 000008
【図７】
2005144017.tif 000009
【図８】
2005144017.tif 000010
【図９】
2005144017.tif 000011